(57)【要約】  関係者のための開放状態で境界のない温度制御ゾーンを作る冷暖房着座システムであって、着座システムは、冷却又は加熱空気を生じさせてこれを送り出すＨＶＡＣ機器（２５）と、デッキ部材（１４）に設けられた第１の空気出口（２０）と、シート後側部材（１２）に設けられた第２の空気出口（２１）と、第１の空気出口（２０）と第２の空気出口（２１）との間でシート後側部材（１２）に設けられた第１の空気戻り部とを含み、第１の空気出口（２０）及び第２の空気出口（２１）から放出された冷却又は加熱空気の一部分がＨＶＡＣ機器（２５）に戻されるようになっていることを特徴とする着座システム。
2015508683.tif 000002
【特許請求の範囲】
【請求項１】
関係者のための実質的に開放状態の温度制御ゾーンを作る屋外暖房・冷房着座システムであって、前記着座システムは、
シート部材（１１）及びデッキ部材（１４）を有するベンチ器具（１０）を含み、
冷却又は加熱空気を生じさせてこれを空気送り出し導管（２６）に通して送り出す大容量空調手段（２５）を含み、
前記デッキ部材（１４）に設けられた第１の空気出口（２０）を含み、前記第１の空気出口（２０）は、前記空気送り出し導管（２６）に作動的に連結され、前記加熱又は冷却空気が上向き方向に放出され、
前記シート部材（１１）の上方に設けられた第２の空気出口（２１）を含み、前記第２の空気出口（２１）は、前記空気送り出し導管（２６）に作動的に連結され、前記加熱又は冷却空気が前向き方向に放出され、
前記第１の空気出口（２０）と前記第２の空気出口（２１）との間に設けられた第１の空気取り入れ口（２２）を含み、前記第１の空気取り入れ口（２２）は、前記第１の空気出口（２０）及び前記第２の空気出口（２１）から放出された前記冷却又は加熱空気の一部分を前記大容量空調手段（２５）に戻すよう構成されている、着座システム。
【請求項２】
前記ベンチ器具（１０）は、キャビネット（１５）を更に含み、前記大容量空調手段（２５）は、前記キャビネット（１５）内に設けられた１つ又は２つ以上のユニットを含む、請求項１記載の着座システム。
【請求項３】
前記第２の空気出口（２１）から見て上流側に設けられたブースターファン（３３）を更に含む、請求項２記載の着座システム。
【請求項４】
前記着座システムは、前記着座システムを操作する車輪付き輸送手段（２８）を更に含む、請求項３記載の着座システム。
【請求項５】
前記ベンチ器具（１０）は、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項３記載の着座システム。
【請求項６】
前記ベンチ器具（１０）は、キャビネット（１５）を更に有し、前記大容量空調手段（２５）は、前記キャビネット（１５）の外部に設けられた１つ又は２つ以上のユニットを含む、請求項１記載の着座システム。
【請求項７】
前記第２の空気出口（２１）から見て上流側に設けられたブースターファン（３３）を更に含む、請求項６記載の着座システム。
【請求項８】
前記着座システムは、前記着座システムを操作する車輪付き輸送手段（２８）を更に含む、請求項７記載の着座システム。
【請求項９】
前記ベンチ器具（１０）は、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項７記載の着座システム。
【請求項１０】
前記ベンチ器具は、キャビネット（１５）を更に有し、前記第１の空気取り入れ口（２０）は、前記キャビネット（１５）内に設けられた空気戻り導管（２７）中に空気を引き込むよう構成されている、請求項１記載の着座システム。
【請求項１１】
前記シート部材（１１）の下方に且つ前記デッキ部材（１４）の上方に位置する場所で前記ベンチ器具（１０）内に設けられた第２の空気取り入れ口（２３）を更に含み、前記第２の空気取り入れ口（２３）は、前記第１の空気出口（２０）及び前記第２の空気出口（２１）から放出された前記冷却又は加熱空気の一部分を前記大容量空調手段（２５）に戻すよう構成されている、請求項１記載の着座システム。
【請求項１２】
前記ベンチ器具（１０）は、キャビネット（１５）を更に含み、前記大容量空調手段（２５）は、前記キャビネット（１５）内に設けられた１つ又は２つ以上のユニットを含む、請求項１１記載の着座システム。
【請求項１３】
前記第２の空気出口（２１）から見て上流側に設けられたブースターファン（３３）を更に含む、請求項１２記載の着座システム。
【請求項１４】
前記着座システムは、前記着座システムを操作する輸送手段（２８）を更に含む、請求項１３記載の着座システム。
【請求項１５】
前記ベンチ器具（１０）は、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項１３記載の着座システム。
【請求項１６】
前記ベンチ器具（１０）は、キャビネット（１５）を更に有し、前記大容量空調手段（２５）は、前記キャビネット（１５）の外部に設けられた１つ又は２つ以上のユニットを含む、請求項１１記載の着座システム。
【請求項１７】
前記第２の空気出口（２１）から見て上流側に設けられたブースターファン（３３）を更に含む、請求項１６記載の着座システム。
【請求項１８】
前記着座システムは、前記着座システムを操作する輸送手段（２８）を更に含む、請求項１７記載の着座システム。
【請求項１９】
前記ベンチ器具（１０）は、背もたれ（１６）を更に有し、前記第１の空気取り入れ口（２０）は、前記背もたれ（１６）と前記シート部材（１１）との間に位置する場所で前記シート後側部材（１２）に設けられている、請求項１７記載の着座システム。
【請求項２０】
前記ベンチ器具（１０）は、キャビネット（１５）を更に有し、前記第１の空気取り入れ口（２２）及び前記第２の空気取り入れ口（２３）は、前記冷却又は加熱空気の一部分を前記キャビネット（１５）内に設けられた１本又は２本以上の空気戻り導管（２６，２７）中に引き込むよう構成されている、請求項１１記載の着座システム。
【発明の詳細な説明】
【技術分野】
【０００１】
本発明は、屋外セッティング又は舞台において局所冷房又は暖房を提供するために用いられる装置の分野、特に、関係者、例えばスポーツイベントのサイドライン上に立ち又は座っているアスリート（競技者）、火事の現場に居る消防夫、高温又は低温環境にいる作業者、長距離走の参加者等に冷房作用又は暖房作用を提供することができるかかる装置に関し、特に、関係者によって接近可能な制御されたゾーン内に冷風又は温風を提供するかかる装置に関する。
【背景技術】
【０００２】
屋外で行われるスポーツイベント、例えばフットボール、サッカー、トラクト等は、極めて高い又は低い温度の天候条件の影響を受ける。これらイベントに参加しているアスリートは、特に、競技会が行われている間又は参加後にサイドライン上に立ち又は座っているとき、体が熱くなり又は悪いことに体の冷える場合がある。同様に、極端な温度条件下において屋外で重労働している作業者は、特に、重量のある安全装置又は保護装置を着用しなければならない場合、体の高体温状態又は過温症になりがちである。
【発明の概要】
【発明が解決しようとする課題】
【０００３】
本発明の目的は、冷却又は加熱された空気を制御された仕方で局所化された屋外ゾーンに供給して関係者が温められるべき又は冷やされるべき温度制御ゾーンに入ることができるようにするシステムを提供することにあり、この場合、温度制御ゾーンは、完全に密閉された環境ではない。別の目的は、制御された暖房又は冷房ゾーンが必要な場所であればどのようなところにも持ち運ぶことができるよう輸送可能なかかるシステムを提供することにある。
【課題を解決するための手段】
【０００４】
屋外暖房・冷房着座システムは、主要構成要素として、シート部材、シート後側部材及びデッキ部材を有するベンチ器具及びキャビネットを含む。システムの空気流は、第１の空気出口、第２の空気出口、第１の空気取り入れ口及び空気に対して加熱又は冷却温度チャージを生じさせることによって空気を温湿度調整し又は空調する大容量空調（ＨＶＡＣ）手段を有する装置によって制御される。
【０００５】
このシステムの一般的な実施形態では、第１の空気出口は、デッキ部材に設けられ、第２の空気出口は、背もたれの上方に設けられる。第１の空気取り入れ口は、背もたれとシート部材との間でシートバックに設けられる。ＨＶＡＣ手段は、１本又は２本以上の空気送り出し導管によって第１の空気出口及び第２の空気出口に連結される。オプションとして、第１の空気取り入れ口を空気戻り導管によってＨＶＡＣ手段に連結するのが良い。
【０００６】
ＨＶＡＣ手段は、調和空気を送り出し導管に通して第１の空気出口及び第２の空気出口に強制的に送り、ここで、調和空気が着座システムによって放出され、それにより温度制御ゾーンが作られる。ユーザがこのゾーンにいったん入ると、熱は、ユーザと給気との間で交換され、それにより空気から温度チャージが減少する。次に、減少したチャージを有する空気の第１の部分を第１の空気取り入れ口経由で温度制御ゾーンから回収し、そして空気戻り導管に通してＨＶＡＣ手段の取り入れ口に戻す。次に、空気のこの第１の部分をＨＶＡＣ手段によって再び調和させ、そして、もう一度空気送り出し導管を経て第１の空気出口及び第２の空気出口に送り出す。
【０００７】
別の実施形態では、着座システムは、シート部材の下方に且つデッキ部材の上方でベンチ器具に設けられると共に空気戻り導管に作動的に連結された第２の空気取り入れ口を更に含む。第２の空気取り入れ口は、第２の空気取り入れ口を通る空気の流量を制御するよう操作されるダンパを更に有する。ダンパが開くと、空気は、第２の空気取り入れ口を経てシステムに再び入り、それにより、この空気は、戻り導管によりＨＶＡＣ手段に戻される。
【０００８】
着座システムの別の実施形態では、ベンチ部材は、システムを輸送する輸送手段、例えば電流式の車両又は車輪付きトレーラを更に有し、その結果、システムを温度制御ゾーンが望まれる任意の屋外場所に運ぶことができるようになっている。
【図面の簡単な説明】
【０００９】
【図１】着座システムの基本的な実施形態の断面図である。
【図２】着座システムの実施形態の断面図であり、第２の空気取り入れ口及び輸送手段を示す図である。
【図３】ＨＶＡＣ手段がキャビネット内に設けられている着座システムの実施形態の断面図である。
【発明を実施するための形態】
【００１０】
図を参照して、例示の屋外暖房又は冷房着座システム及びそのコンポーネントの種々の実施形態について説明すると共に図示する。一般に、本発明の原理に従って構成された着座システムは、空気の一部分を温度制御ゾーンから引き出してこの空気部分をＨＶＡＣ暖房又は冷房装置に戻すよう構成された第１の空気取り入れ口を備える。本明細書において開示する実施形態は、例示目的であって、システムを限定するものではない。当業者であれば理解されるように、過度の実験を行わないでも以下の実施形態の他の変形例を構成することが可能である。例示の目的上、本発明を限定することなく、以下の説明は、職業的スポーツチーム、例えば職業的フットボールチームにより用いられるサイドラインベンチとの関連で行われる。しかしながら、当業者であれば理解されるように、本明細書において説明する着座システムは、過度の実験を行わないでも他の用途、例えば非常事態の場所の近くにいる消防夫、過酷な建築環境にいる建築作業者又は他のかかる関係者に合わせて改造可能である。
【００１１】
暖房又は冷房着座システムは、加熱又は冷却空気を実質的に開放状態の又は境界が設けられていないゾーン中に送り出してこのゾーン内に立っている又は座っている関係者を必要に応じて冷やし又は温めるようにすることができ、規定された温度制御ゾーンは、暑い天候では周囲よりも低い温度を有し、寒い天候では周囲よりも高い温度を有する。境界が設けられていないゾーンは、壁、防水シート等によって物理的に包囲されているわけではない。別の一般的な実施形態では、着座システムは、加熱又は冷却空気を種々の場所又は作業現場の規定された実質的に開放状態の境界が設けられていないゾーン中に送り込むことができる車輪付き輸送可能なシステムを含む。この輸送可能なシステムは、例えば特定の競技用途に合わせてサイドラインベンチ領域を再構成するよう着座システムを再配置するのを容易にし、例えば、サッカーチームにより後で使用できるようフットボールサイドラインを再構成するのを容易にすることができる。
【００１２】
図１及び図２を参照すると、屋外暖房・冷房着座システムは、主要構成要素として、シート部材１１、シート後側部材１２及びデッキ部材１４を有する好ましくは可動又は携帯可能なベンチ器具１０及びキャビネット１５を含む。このシステムは、第１の空気出口２０、第２の空気出口２１、第１の空気取り入れ口２２及び空気に対して加熱又は冷却温度チャージを生じさせることによって空気を温湿度調整し又は空調する大容量空調（ＨＶＡＣ）手段２５を含む。ＨＶＡＣ手段２５は、任意公知形式の１つ又は２つ以上のユニットであって良く、かかるＨＶＡＣ手段は、ＨＶＡＣ業界では周知である凝縮器、冷水装置、抵抗加熱器、ガスヒータ、ブロワ等の装置を含む場合がある。ＨＶＡＣ手段２５が着座システムから距離を置いたところに配置される実施形態では、ＨＶＡＣ手段２５は、必要な量の給気を相当長い距離にわたって送り出すことができるほど十分な容量及び電力のものであることが必要であり、したがって、好ましくは、ＨＶＡＣ手段２５は、競技場から程良い距離を置いたところに、好ましくは、野外競技観覧席又はファン着座領域が存在している場合にはかかる野外競技観覧席又はファン着座領域の下に位置決めされるのが良い。変形例として、ＨＶＡＣ手段２５は、携帯可能であっても良く、したがって、ＨＶＡＣ手段をベンチ器具１０の近くに置くことができ、次に使用しない場合には持ち去って保管することができる。別の実施形態では、ＨＶＡＣ手段２５は、キャビネット１５内に設けられるコンパクトなユニットである。例えば、この実施形態では、ＨＶＡＣ手段２５は、以下に詳細に説明するようにキャビネット１５内に設けられる１つ又は２つ以上の水‐空気ヒートポンプである。
【００１３】
このシステムが一般的な実施形態では、シートバック１２は、一般に、背もたれ１６を有する。第１の空気出口２０は、デッキ部材１４に設けられ、第２の空気出口２１は、背もたれ１６の上方に設けられている。第１の空気取り入れ口２２は、一般に、シートバック１２内に設けられる。非限定的な実施例として、第１の空気取り入れ口２２は、背もたれ１６とシート部材１１との間でシートバック１２に設けられる。ＨＶＡＣ手段２５は、空気送り出し導管２６によって第１の空気出口２０及び第２の空気出口２１に連結され、第１の空気取り入れ口２２は、空気戻り導管２７によってＨＶＡＣ手段に連結されている。空気送り出し導管２６及び空気戻り導管２７は、キャビネット１５内に収納されており、それにより使用が容易であり且つ携帯が楽な自蔵式ベンチ器具が形成される。
【００１４】
使用に当たり、着座システムの基本的な実施形態により、ＨＶＡＣ手段２５を空気送り出し導管２６に係合させることができる。ＨＶＡＣ手段２５は、調和空気を送り出し導管２６に通して第１の空気出口２０及び第２の空気出口２１に強制的に送り、ここで、調和空気が着座システムによって放出され、それにより、デッキ部材１４の上方に約４〜６フィート（１．２２〜１．８３ｍ）にわたって延びる温度制御ゾーン３０が作られる。図１〜図３に記載されている太字の矢印は、温度制御ゾーン３０への空気の流れ方向及び温度制御ゾーン３０からの空気の流れ方向を示している。ユーザ、例えばアスリートは、次に、自分の体温を高め又は低くするよう温度制御ゾーン３０に入ることができる。ユーザがいったんゾーン３０に入ると、熱は、ユーザと給気との間で交換され、それにより空気の温度チャージが減少する。次に、チャージの減少した空気の第１の部分を第１の空気取り入れ口２２経由で温度制御ゾーン３０から回収し、そして空気戻り導管２７に通してＨＶＡＣ手段２５の取り入れ口に戻す。次に、空気のこの第１の部分をＨＶＡＣ手段２５によって再び調和させ、そして、空気送り出し導管２６を経て第１の空気出口２０及び第２の空気出口２１に再び送り出して温度制御ゾーン３０中に再導入する。第１の空気取り入れ口２２を経て部分的にチャージされる空気のこの戻りサイクルにより、ＨＶＡＣ手段２５の効率が高められる。と言うのは、それにより、ＨＶＡＣ手段２５がその出力空気について所望の調和（温湿度調整）レベルを生じさせるためにその取り入れ空気をチャージしなければならない温度範囲が減少するからである。
【００１５】
着座システムの一実施形態では、第１の空気出口２０は、デッキ部材１４の上側支持面１８に設けられたベント１９を有する。この実施形態では、デッキ部材１４は、側部及び上側支持面１８を支持する底部を備えたハウジング１７を有し、それにより、開放内部が構成されている。デッキ部材１４の内部は、空気を均等に良好に分布させるためのバッフル、プレナム、区分壁又は他の手段を備えるのが良い。上側支持面１８は、多数の人及び１つ又は２つ以上のベンチをこの上側支持面上に容易に支持することができるような材料で構成されている。第１の空気出口２０は、上側支持面１８に設けられたベント１９の形態をしており、その結果、デッキ部材１４中に送り込まれた空気は上側支持面２２から上方に放出されるようになっている。ベント１９は、靴のスパイクがベント１９に入ることができないほど十分小さい寸法のものである。例えば、ベント１９は、他の考えられる実施形態、例えば、鉄格子システム等と共にプレート部材に設けられた穴であるのが良い。
【００１６】
第２の空気出口２１の一実施形態は、空気送り出し導管２６と周囲空気との間において背もたれ１６の上方でベンチ器具１０に設けられた鉄格子３２を備えたハウジング３１を有する。この実施形態では、第２の空気出口２１は、ベンチ器具１０の全長に沿って延びている。ハウジング３１は、空気送り出し導管２６に連結され、ハウジングは、空気を均等に良好に分布させるためのバッフル、プレナム、区分壁又は他の手段を更に有するのが良い。別の例示のオプションとして、空気送り出し導管２６は、ベンチ器具１０の長さに沿って調和された空気を均等に分散させるのを助けるよう間隔を置いてハウジング３１の長さに沿って互いに連結した数本の導管から成っていても良い。別の実施形態では、第２の空気出口２１は、調和空気を第２の空気出口２１に送る空気送り出し導管２６を通る空気の流量を制御する１つ又は２つ以上の空気制御手段３３を更に有する。空気制御手段３３は、第２の空気出口２１から見て上流側に設けられると共に空気送り出し導管２６を通って空気を第２の空気出口２１に送るのを促進し又は阻止するよう操作される１つ又は２つ以上のブースターファン又はダンパであるのが良い。
【００１７】
別の実施形態では、着座システムは、シート部材１１の下方に且つデッキ部材１４の上方でベンチ器具１０に設けられると共に空気戻り導管２７に作動的に連結された第２の空気取り入れ口２３を更に含む。第２の空気取り入れ口２３は、第２の空気取り入れ口２３を通る空気の流量を制御するよう操作されるダンパ２４を更に有する。例えば、幾つかの場合、第１の空気出口２０から放出された調和空気は、妨げられない状態でシート部材１１を越えて流れて温度制御ゾーン３０内に流入する。これらの場合、ダンパ２４は、閉じられたままであり、それにより、第２の空気取り入れ口２３が封止され、かかる第２の空気取り入れ口２３が空気を受け入れるのが阻止される。他の場合、第１の空気出口２０から放出された空気は、偶発的にシート部材１１とデッキ部材１４との間に閉じ込められた状態になる。この状況では、ダンパ２４が開き、それにより閉じ込め状態の調和空気が第２の空気取り入れ口２３を経てシステムに再び入ることができ、それにより空気は、戻り導管２７を経てＨＶＡＣ手段２５に戻される。このように、このシステムは、調和空気の全てが温度制御ゾーン３０を通って循環するようにすることによって効率を高める。
【００１８】
図３に示されている別の実施形態では、ＨＶＡＣ手段２５は、キャビネット１５内に設けられている。この実施形態の屋外暖房・冷房着座システムは、主要構成要素として、第１の空気出口２２０、第２の空気出口２２１、第１の空気取り入れ口２２２及び空気に対して加熱又は冷却温度チャージを生じさせることによって空気を温湿度調整し又は空調する１つ又は２つ以上のＨＶＡＣ手段２２５を有する。例えば、ＨＶＡＣ手段２５は、キャビネット２１５内に設けられる１つ又は２つ以上の水‐空気ヒートポンプである場合がある。
【００１９】
第１の空気出口２２０は、デッキ部材２１４に設けられ、第２の空気出口２２１は、背もたれ２１６の上方に設けられている。第１の空気取り入れ口２２２は、背もたれ２１６とシート部材２１１との間でシートバック２１２に設けられている。ＨＶＡＣ手段２２５は、空気送り出し導管２２６によって第１の空気出口２２０及び第２の空気出口２２１に連結され、この空気送り出し導管は、キャビネット２１５内で着座システムの長手方向に沿って延びる分配ボックスの形態をしている。分配ボックス２２６は、デッキ部材２１４に連結され、この分配ボックスは、第１の空気出口２２０を通って大量の空気を放出し、第１の空気出口２２０は、デッキ部材２１４に設けられたハウジング２１７の頂側部を形成する鉄格子パネルから成っている。ＨＶＡＣ手段２２５は、分配ボックス２２６の長さに沿って間欠的に互いに間隔を置いて設けられた供給導管２５１を経て空気を第２の空気出口２２１に送り出す。供給導管２５１は、調和空気を分配ボックス２２６から第２の空気出口２２１に送ることができる任意のダクト、バッフル、導管又は他の部材である。
【００２０】
一実施形態では、このシステムは、背もたれ２１６の上方に配置されたハウジング２３１を更に含む。この実施形態では、第２の空気出口２２１は、ベンチ器具２１０の全長に沿って延びている。ハウジング３１は、空気を均等に良好に分布させるためのバッフル、プレナム、区分壁又は他の手段を有するのが良い。第２の空気出口２２１は、分配ボックス２２６から供給導管２５１、ハウジング２３１、第２の空気出口２２１を通って温度制御ゾーン２３０中に入る空気の流れを一段と容易にするために１つ又は２つ以上の空気制御手段２３３、例えば１つ又は２つ以上のブースターファンを更に有するのが良い。これらブースターファンは、任意所望の間隔を置いて第２の空気出口２２１の長さに沿って設置されるのが良い。
【００２１】
第１の空気入口２２２は、温度制御ゾーン２３０からの部分調和空気の一部分をキャビネット２１５中に引き戻し、ここで、部分的に調和された空気は、次に、ＨＶＡＣ手段２２５に入って再調和され、その後、分配ボックス２２６、第１の空気出口２２０及び第２の空気出口２２１を通って温度制御ゾーン２３０に循環して戻される。供給導管２５１の間欠的間隔保持により、戻り空気は、供給導管２５１相互間を流れてＨＶＡＣ手段２２５に戻ることができる。かくして、この実施形態では、第１の空気取り入れ口２２２からＨＶＡＣ手段２２５まで直接延びる空気戻り導管が不要である。大抵の場合、取り入れ空気の一部分は、単に第１の空気取り入れ口２２２を通ってキャビネット２１５に流入し、そしてキャビネット２２５を通ってＨＶＡＣ手段２２５に流入する。分配ボックス２２６及びＨＶＡＣ手段２２５は、キャビネット２１５内に収納されており、それにより、使用が容易であり且つ携帯が楽な自蔵式ベンチ器具が形成される。この実施形態では、ＨＶＡＣ手段２２５のためのユニットは、１つ又は２つ以上の作動入力及び出力２５２、例えば、水‐ガスヒートポンプの作動ための水路又は代表的にはスタジアム及び競技施設で利用できる電力線と連絡関係をなして設けられる。
【００２２】
キャビネット２１５の一実施形態では、キャビネットは、キャビネットの内部を上側コンパートメント２５６及び戻り空気プレナム２５７に分離する分割パネル２５５を更に有する。供給導管２５１は、調和空気を上側コンパートメント２５６に差し向け、ここで、調和空気は、代表的にはブースターファン２３３の助けにより第２の空気出口２２１を通って引き込まれる。パネル２５５により、第１の空気取り入れ口２２２は、自由引き込み空気戻りとして動作することができ、それにより空気が戻りプレナム２５７内に引き込まれ、ここで、空気は、ＨＶＡＣ手段２２５内に流れて戻る。
【００２３】
使用にあたり、ＨＶＡＣ手段２２５は、調和空気を送り出し導管２２６に通して第１の空気出口２２０に強制的に送り、そして供給導管２５１から第２の空気出口２２１に送り、ここで、調和空気が着座システムによって放出されて温度制御ゾーン２３０が作られる。ユーザ、例えばアスリートは、次に、自分の体温を高め又は低くするよう温度制御ゾーン３０に入ることができ、それにより上述したように空気の温度チャージが減少する。次に、チャージの減少した空気の第１の部分を第１の空気取り入れ口２２２経由で温度制御ゾーン２３０から回収し、そしてキャビネット２１５の内部に通してＨＶＡＣ手段２２５の取り入れ口に戻す。次に、この第１の空気の部分は、ＨＶＡＣ手段２２５により再調和され、もう一度、分配ボックス２２６を通って第１の空気出口２２０及び第２の空気出口２２１に送り出される。第１の空気取り入れ口２２２を経て部分的にチャージされる空気のこの戻りサイクルにより効率が高められる。と言うのは、それにより、ＨＶＡＣ手段２２５がその出力空気について所望の調和レベルを生じさせるためにその取り入れ空気をチャージしなければならない温度範囲が減少するからである。効率のこの向上により、システムは、小型のＨＶＡＣ手段２２５を用いることによって満足の行く仕方で動作することができ、それにより着座システムのフットプリントが減少する。このスペースの節約は、例えば職業スポーツチームの密集したサイドラインについては重要な特徴であると言える。
【００２４】
別の実施形態では、着座システムは、シート部材２１１の下方で且つデッキ部材２１４の上方でベンチ器具２１０に設けられた第２の空気取り入れ口２２３を更に含む。第２の空気取り入れ口２２３は、上述したように第２の空気取り入れ口２２３を通る空気の流れを制御するよう操作されるダンパ２２４を更に有している。特に、この実施形態では、第２の空気取り入れ口２２３は、空気戻り導管によってＨＶＡＣ手段２２５に連結される必要はない。ただし、望ましい場合にはこのようにしても良い。たいていの場合、空気戻り導管は、設けられない。その代わりに、第２の空気取り入れ口２２３は、温度制御ゾーン２３０から空気の一部分を引き出してキャビネット２１５中に引き込み、ここで、この空気部分は、ＨＶＡＣ手段２２５に流れ、その後、再チャージされて温度制御ゾーン２３０に戻される。
【００２５】
図３に示されている着座システムの別の実施形態では、ベンチ部材１０は、着座システムを輸送する輸送手段２８、例えば電動車両又は車輪付きトレーラを更に有し、したがって、着座システムを温度制御ゾーン３０が望ましい任意の屋外場所に運ぶことができる。例えば、輸送手段２８は、ベンチ部材１０の底部に作動的に連結されたベースフレーム８０及びベースフレーム８０に作動的に連結された車輪を含むのが良い。一実施形態では、輸送手段２８は、ウェブを備えた構造部材のベースフレーム８０を含み、この場合、構造部材のウェブは、車輪組立体のインサート部材８２を受け入れる受け入れ穴８１を有している。車輪組立体は、ベースフレーム８０を介して着座システムを昇降させるジャッキ８３を含む。ベースフレーム８０の他の部分は、着座システムを操作するために用いられるトレーラヒッチ、スイベル車輪、フォークリフトのアーム又は他のかかる装置のインサート部材８２を受け入れる追加の受け入れ穴８１を有するのが良い。
【００２６】
例えば、着座システムは、シート部材１１の長さに沿う長手方向及びシート部材１１を横切る横方向を有する。ベースフレーム８０の長手方向部材は、車輪組立体のインサート部材８２を受け入れる受け入れ穴８１及びフォークリフトのアームを受け入れる他の受け入れ穴８１を有する。ベースフレーム８０の横方向部材は、トレーラヒッチのインサート部材８２を受け入れる受け入れ穴８１を有する。かくして、着座システムは、トラクタのトレーラヒッチに取り付けられ又はフォークリフトによって持ち上げ可能であり、そして輸送のためにフラットベッドトラック上に配置可能である。
【００２７】
別の実施形態では、ベンチ器具１０は、ベンチ器具１０の頂部から延びるフレームに取り付けられたキャノピーを備えている。キャノピーは、シート部材１１から張り出すよう構成されており、その結果、キャノピーは、人がシート部材１１上に着座したときに人を降水又は直射日光から保護するようになっている。
【００２８】
上述の実施形態のうちの任意のものにおいて、着座システムは、キャビネットの外部に設けられた制御手段を更に含むのが良い。制御手段は、暖房、冷房の動作並びに着座システムの動作を制御するための任意の手段である。例えば、制御手段は、運転制御部、例えば所望に応じてオン／オフ、暖房／冷房、自動、ファンオンリー、高／中／低及び他の動作モードを有する制御盤であるのが良い。加うるに、キャビネットは、任意の実施形態において、着座システムの内部コンポーネントに接近するための任意個数又は任意形態の接近パネルを備えるのが良い。
【００２９】
上述の実施形態は、屋外暖房・冷房着座システムの例示に過ぎず、本発明を限定するものではない。例えば、当業者であれば理解されるように、本明細書において説明した多くのコンポーネントを当業者により特定の用途に合わせてカスタマイズできる。その結果、理解されるように、上述の或る特定の要素及びコンポーネントに関する均等例及び置換例が本発明の一部をなし、したがって、本発明の真の範囲及び定義は、以下の特許請求の範囲の記載に基づいて定められる。
【図１】
2015508683.tif 000003
【図２】
2015508683.tif 000004
【図３】
2015508683.tif 000005
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
関係者のための実質的に開放状態の温度制御ゾーンを作る暖房・冷房システムであって、前記暖房・冷房システムは、
デッキ部材（１４）を有する器具（１０）を含み、
冷却又は加熱空気を生じさせてこれを空気送り出し導管（２６）に通して送り出す大容量空調手段（２５）を含み、
前記デッキ部材（１４）に設けられた第１の空気出口（２０）を含み、前記第１の空気出口（２０）は、前記空気送り出し導管（２６）に作動的に連結され、前記加熱又は冷却空気が上向き方向に、前記デッキ部材（１４）上の温度制御ゾーン（３０）に放出され、
前記デッキ部材（１４）の上方に設けられた第２の空気出口（２１）を含み、前記第２の空気出口（２１）は、前記空気送り出し導管（２６）に作動的に連結され、前記加熱又は冷却空気が前向き方向に、前記温度制御ゾーン（３０）に放出され、
前記第１の空気出口（２０）と前記第２の空気出口（２１）との間に設けられた第１の空気取り入れ口（２２）を含み、前記第１の空気取り入れ口（２２）は、前記第１の空気出口（２０）及び前記第２の空気出口（２１）から放出された前記冷却又は加熱空気の一部分を引き込み、さらにこの部分を前記大容量空調手段（２５）に戻し、前記大容量空調手段（２５）を用いてこの部分を再調整する、暖房・冷房システム。
【請求項２】
前記器具（１０）は、キャビネット（１５）を更に含み、前記大容量空調手段（２５）は、前記キャビネット（１５）内に設けられた１つ又は２つ以上のユニットを含む、請求項１記載のシステム。
【請求項３】
前記第２の空気出口（２１）から見て上流側に設けられたブースターファン（３３）を更に含む、請求項２記載のシステム。
【請求項４】
前記システムは、前記システムを操作する車輪付き輸送手段（２８）を更に含む、請求項３記載のシステム。
【請求項５】
前記器具（１０）は、シート部材（１１）、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項３記載のシステム。
【請求項６】
前記器具（１０）は、キャビネット（１５）を更に有し、前記大容量空調手段（２５）は、前記キャビネット（１５）の外部に設けられた１つ又は２つ以上のユニットを含む、請求項１記載のシステム。
【請求項７】
前記第２の空気出口（２１）から見て上流側に設けられたブースターファン（３３）を更に含む、請求項６記載のシステム。
【請求項８】
前記システムは、前記システムを操作する車輪付き輸送手段（２８）を更に含む、請求項７記載のシステム。
【請求項９】
前記器具（１０）は、シート部材（１１）、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項７記載のシステム。
【請求項１０】
前記器具（１０）は、キャビネット（１５）を更に有し、前記第１の空気取り入れ口（２０）は、前記キャビネット（１５）内に設けられた空気戻り導管（２７）中に空気を引き込むよう構成されている、請求項１記載のシステム。
【請求項１１】
さらに、シート部材（１１）と、前記シート部材（１１）の下方に且つ前記デッキ部材（１４）の上方に位置する場所で前記器具（１０）内に設けられた第２の空気取り入れ口（２３）とを有し、前記第２の空気取り入れ口（２３）は、前記第１の空気出口（２０）及び前記第２の空気出口（２１）から放出された前記冷却又は加熱空気の一部分を前記大容量空調手段（２５）に戻すよう構成されている、請求項１記載のシステム。
【請求項１２】
前記器具（１０）は、キャビネット（１５）を更に含み、前記大容量空調手段（２５）は、前記キャビネット（１５）内に設けられた１つ又は２つ以上のユニットを含む、請求項１１記載のシステム。
【請求項１３】
前記第２の空気出口（２１）から見て上流側に設けられたブースターファン（３３）を更に含む、請求項１２記載のシステム。
【請求項１４】
前記システムは、前記システムを操作する輸送手段（２８）を更に含む、請求項１３記載のシステム。
【請求項１５】
前記器具（１０）は、シート部材（１１）と、シート後側部材（１２）及び背もたれ（１６）を更に有し、前記第１の空気取り入れ口（２０）は、前記背もたれ（１６）と前記シート部材（１１）との間に位置する場所で前記シート後側部材（１２）に設けられている、請求項１３記載のシステム。
【請求項１６】
前記器具（１０）は、キャビネット（１５）を更に有し、前記大容量空調手段（２５）は、前記キャビネット（１５）の外部に設けられた１つ又は２つ以上のユニットを含む、請求項１１記載のシステム。
【請求項１７】
前記第２の空気出口（２１）から見て上流側に設けられたブースターファン（３３）を更に含む、請求項１６記載のシステム。
【請求項１８】
前記システムは、前記システムを操作する輸送手段（２８）を更に含む、請求項１７記載のシステム。
【請求項１９】
前記器具（１０）は、背もたれ（１６）を更に有し、前記第１の空気取り入れ口（２０）は、前記背もたれ（１６）と前記シート部材（１１）との間に位置する場所で前記シート後側部材（１２）に設けられている、請求項１７記載のシステム。
【請求項２０】
前記器具（１０）は、キャビネット（１５）を更に有し、前記第１の空気取り入れ口（２２）及び前記第２の空気取り入れ口（２３）は、前記冷却又は加熱空気の一部分を前記キャビネット（１５）内に設けられた１本又は２本以上の空気戻り導管（２６，２７）中に引き込むよう構成されている、請求項１１記載のシステム。
【国際調査報告】
2015508683.tif 000006